(57)【要約】【課題】  部品点数の削減を図るとともに、シャッタ閉蓋部材の位置精度を高精度となし、安定したシャッタ部材の開閉操作を実現する。【解決手段】  ディスクカートリッジ２２０，２２１が装着されるカートリッジホルダ３と、カートリッジホルダ３の側面に形成された開口部１５０ａのディスクカートリッジの挿入方向側の端部からディスクカートリッジのイジェクト方向に向かって延設され、自由端側の先端部に、カートリッジホルダ３の内方に膨出するように屈曲され、ディスクカートリッジのシャッタ部材２０６，２１７の側面に形成されたシャッタ閉蓋孔２０８に係合する係合部１３５ｃを有し、カートリッジホルダ３に一体的に形成されたシャッタ閉蓋部材１３５とを備える。【選択図】  図９
2006120316.tif 000002
【特許請求の範囲】
【請求項１】
ディスクカートリッジが装着されるカートリッジホルダと、
上記カートリッジホルダの側面に形成された開口部の上記ディスクカートリッジの挿入方向側の端部から上記ディスクカートリッジのイジェクト方向に向かって延設され、自由端側の先端部に、上記カートリッジホルダの内方に膨出するように屈曲され、上記ディスクカートリッジのシャッタ部材の側面に形成されたシャッタ閉蓋孔に係合する係合部を有し、上記カートリッジホルダに一体的に形成されたシャッタ閉蓋部材と
を備えることを特徴とするディスク装置。
【請求項２】
上記シャッタ閉蓋部材は、上記カートリッジホルダの側面を切り欠いて、上記カートリッジホルダと一体に形成されていることを特徴とする請求項１記載のディスク装置。
【発明の詳細な説明】
【技術分野】
【０００１】
本発明は、光磁気ディスクや光ディスク或いは磁気ディスクの如き円盤状記録媒体を用いて情報信号の記録又は再生を行うディスク装置であて、記録媒体が回転可能に収納されたディスクカートリッジが装着されカートリッジホルダを備えたディスク装置に関する。
【背景技術】
【０００２】
従来、光磁気ディスクや光ディスク或いは磁気ディスクの如き円盤状記録媒体を用いて、情報信号の記録及び／又は再生を行うように構成された記録及び／又は再生装置が提案されている。また、円盤状記録媒体としては、光磁気ディスクや光ディスクをカートリッジに収納してディスクカートリッジとして構成されたものが提案されている。
【０００３】
このような記録及び／又は再生装置は、記録媒体に対して情報信号の書き込み及び／又は読み出しを行うための、光学ピックアップ及び磁気ヘッドを有してディスクドライブ部を構成している。この記録及び／又は再生装置においては、記録媒体は、ディスクドライブ部に対する相対位置が所定位置となされる装着位置に装着される。記録媒体は、装着位置に装着されることにより、光学ピックアップ及び磁気ヘッドにより、情報信号の書き込み及び／又は読み出しが行われる。
【０００４】
ところで、この種の記録及び／又は再生装置には、記録媒体を装着位置に装着させるための記録媒体装着装置が設けられ、記録媒体がディスクドライブ部に移動操作可能に配設され、記録媒体を保持する部材を有して構成されたものがある。すなわち、このような記録媒体装着装置には、装置の装置側に回動可能に取り付けられた蓋体にディスクカートリッジを挿脱可能に保持するカートリッジホルダが設けられている。
【０００５】
そして、従来の記録及び／又は再生装置のカートリッジホルダにおいては、一方側の側壁部の前方側部分に、このカートリッジホルダの内方側に向けて膨出するようにして、シャッタ閉蓋部材が配設されているものがある。このシャッタ閉蓋部材は、このカートリッジホルダにディスクカートリッジが挿入されたとき、シャッタ部材のシャッタ閉蓋孔に嵌入係合し、このディスクカートリッジが該カートリッジホルダより抜き出されるとき、該シャッタ部材を閉蓋状態となす。
【発明の開示】
【発明が解決しようとする課題】
【０００６】
ところが、従来の記録及び／又は再生装置のカートリッジホルダにおいて、このシャッタ閉蓋部材は、カートリッジホルダとは別部材により形成された細かな部品をカートリッジホルダの一方側の側壁部の前方側部分にかしめ止めや溶接等により固定されていた。
【０００７】
しかしながら、従来の装置のように、シャッタ閉蓋部材を別部材とすることは、カートリッジホルダを構成する専用の部品点数が増え組立工数が増大するばかりか、その金型もカートリッジホルダとは別のものが必要で、その結果、製造に高いコストがかかる問題を有していた。
【０００８】
また、シャッタ閉蓋部材は、ディスクカートリッジのシャッタ部材の閉蓋を行うものでありシャッタ閉蓋孔に正確に嵌入係合することが要求される。
【０００９】
しかし、従来のものでは、シャッタ閉蓋部材が細かな別の部品であることから、組立に際して位置精度が出すことが極めて難しいという問題点を併せて有していた。
【００１０】
そこで、本発明は、上述の課題に鑑みてなされたものであり、その目的とするところは、部品点数の減少による機構の簡素化と、シャッタ閉蓋部材の位置精度を高精度に出すことができるディスク装置を提供することにある。
【課題を解決するための手段】
【００１１】
上述したような目的を達成するために提案される本発明に係るディスク装置は、ディスクカートリッジが装着されるカートリッジホルダと、上記カートリッジホルダの側面に形成された開口部の上記ディスクカートリッジの挿入方向側の端部から上記ディスクカートリッジのイジェクト方向に向かって延設され、自由端側の先端部に、上記カートリッジホルダの内方に膨出するように屈曲され、上記ディスクカートリッジのシャッタ部材の側面に形成されたシャッタ閉蓋孔に係合する係合部を有し、上記カートリッジホルダに一体的に形成されたシャッタ閉蓋部材とを備える。
【００１２】
ここで、シャッタ閉蓋部材は、カートリッジホルダの側面を切り欠いて、カートリッジホルダと一体に形成するようにすることが望ましい。
【発明の効果】
【００１３】
本発明に係るディスク装置は、シャッタ閉蓋部材がカートリッジホルダに一体的に形成されているために、かしめ止めや溶接等によって固定する必要がない。したがって、従来のようにカートリッジホルダの専用の部品点数が増えたり組立工数の増加による高コストになることが防止できる。
【００１４】
また、シャッタ閉蓋部材は、カートリッジホルダに一体的に形成されることから、カートリッジホルダに対する位置精度の向上が図られ、組み立ての際のシャッタ閉蓋部材の位置精度が向上されて、正確にディスクカートリッジのシャッタ部材のシャッタ閉蓋孔に嵌入係合させることができ、安定したシャッタ部材の開閉を行うことができる。
【発明を実施するための最良の形態】
【００１５】
以下、本発明の実施の形態を図面を参照しながら説明する。
【００１６】
本実施の形態は、いわゆる光磁気ディスクに対する情報信号の記録又は再生を行うディスク装置に適用したものである。
【００１７】
本発明は、以下、次の順序で説明する。
【００１８】
［１］ディスク装置の全体構成の概要
［２］カートリッジホルダの構成
［３］ディスクカートリッジの構成
［４］カートリッジホルダのシャッタ閉蓋部材の作動状態
［１］ディスク装置の全体構成の概要
本発明が適用されたディスク装置は、図１乃至図３に示すように、メインフレーム１とこのメインフレーム１に対して複数のダンパ部材を介していわゆるフローティング支持されるメカシャーシ２とを有して構成されている。また、メインフレーム１には、バッテリーケース８、外カバー５及び下カバー６が固定して取り付けられる。さらに、バッテリーケース８には、上カバー７とカバー支持板４とからなる上蓋部が回動可能に取り付けられる。すなわち、このディスク装置においては、メインフレーム１、バッテリーケース８、外カバー５及び下カバー６からなる本体側筺体に対して、上蓋部が回動可能に取り付けられ、この上蓋部は、該本体側筺体の上面側を開閉可能となしている。そして、メカシャーシ２の上面部には、ディスクカートリッジが保持されるカートリッジホルダ３が回動可能に取り付けられている。
【００１９】
［２］ディスクカートリッジの構成
このディスク装置において情報信号の記録媒体として使用される光磁気ディスクは、直径が例えば６４ｍｍ程度のポリカーボネイトの如き透明合成樹脂材料よりなるディスク基板に、磁性材料からなる信号記録層が被着形成されて構成されている。この信号記録層は、集光されたレーザービームの照射等の手段により局所的にいわゆるキュリー温度以上に加熱され、この加熱された部分に外部磁界が印加されることにより、情報信号の書き込みがなされる。このように書き込まれた情報信号は、信号記録層にレーザービームの如き直線偏向光光束を照射し、この光束の反射光束についての該信号記録層におけるいわゆるカー効果による偏向方向の回転を検出することにより、読み出すことができる。
【００２０】
また、このディスク装置において情報信号の記録媒体として使用される光ディスクは、光磁気ディスクのディスク基板と同様のディスク基板に、アルミニウムの如き金属材料よりなる反射層が被着形成されて構成されている。
【００２１】
この光ディスクのディスク基板には、射出成形等の手段により、情報信号に対応した微細なピット列が形成されている。この光ディスクに書き込まれている情報信号は、ピット列にレーザービームの如きコヒーレント光光束を照射し、この光束の反射光束についての該信号記録層における拡散や干渉による光量の変化を検出する異により、読み出すことができる。
【００２２】
そして、光磁気ディスク及び光ディスクは、図４乃至図７に示すように、カートリッジ２０５，２１６に回転可能に収納されて、ディスクカートリッジを構成している。
【００２３】
まず、光磁気ディスクを収納して記録及び再生用ディスクカートリッジ２２０を構成するカートリッジ２０５は、図４及び図６に示すように、一辺の長さが該光磁気ディスクの直径に略々対応した矩形状の主面部を有する薄い筺体状に構成されている。このカートリッジ２０５は、図４に示すように、上面側の主面部に、光磁気ディスクの信号記録面の一部を外方に臨ませるための磁気ヘッド用開口部２２３を有している。また、このカートリッジ２０５は、図６に示すように、下面側の主面部の磁気ヘッド用開口部２２３に対応する位置に光学ピックアップ用開口部２２２を有し、この下面側の主面部の略々中央部分にチャッキング用の開口部２１３を有している。この記録及び再生用ディスクカートリッジ２２０は、ディスク装置に対して、図４及び図６中矢印Ｅで示すように、前方方向に挿入されて装着される。
【００２４】
記録再生用ディスクカートリッジ２２０のカートリッジ２０５において、磁気ヘッド用開口部２２３及び光学ピックアップ用開口部２２２は、シャッタ部材２０６によって開閉可能となされている。このシャッタ部材２０６は、これら開口部２２３，２２２に対応した互いに平行に相対向されたシャッタ板部と、これらシャッタ板部の一端側同士間を連結する連結部とを有して、合成樹脂材料又は金属材料により、一体的に構成されている。このシャッタ部材２０６は、連結部を、カートリッジ２０５の一側部に形成された支持溝部２０７に摺動可能に支持されている。すなわち、シャッタ部材２０６は、カートリッジ２０５の一側部に沿って後方にスライドされることにより各開口部２２３，２２２を閉蓋し、後方側より前方にスライドされて初期位置に復帰されると各シャッタ板部により該各開口部２２３，２２２を閉蓋する。
【００２５】
一方、光ディスクを収納して再生専用ディスクカートリッジ２２１を構成するカートリッジ２１６は、図５及び図７に示すように、一辺の長さが該光ディスクの直径に略々対応した矩形状の主面部を有する薄い筺体状に形成されている。このカートリッジ２１６は、図５に示すように、上面側の主面部には、開口部を有していない。このカートリッジ２１６は、図７に示すように、下面側の主面部に光学ピックアップ用開口部２２２を有し、この下面側の主面部の略々中央分にチャッキング用開口部２１３を有している。この再生専用ディスクカートリッジ２２１は、ディスク装置に対して、図５及び図７中矢印Ｅで示すように、前方方向に挿入されて装着される。
【００２６】
再生専用ディスクカートリッジ２２１のカートリッジ２１６において、光学ピックアップ用開口部２２２は、シャッタ部材２１７によって開閉可能となされている。このシャッタ部材２１７は、光学ピックアップ用開口部２２２に対応したシャッタ板部と、このシャッタ板部の一端側に設けられた支持部とを有して、合成樹脂材料又は金属材料により、一体的に構成されている。このシャッタ部材２１７は、支持部を、カートリッジ２１６の一側部に形成された支持溝部２０７に摺動可能に支持されている。すなわち、シャッタ部材２１７は、カートリッジ２１６の一側部に沿って後方にスライドされることにより光学ピックアップ用開口部２２２開蓋し、後方側より前方にスライドされて初期状態に復帰されるとシャッタ板部により該光学ピックアップ開口部２２２を閉蓋する。
【００２７】
各シャッタ部材２０６，２１７には、連結部または支持部の略々中央位置に、側方側に向けて、矩形状のシャッタ閉蓋孔２０８が開設されている。このシャッタ開蓋孔２０８は、本発明に係るディスク装置において各シャッタ部材２０６，２１７を閉蓋操作するための部材、すなわち、本実施例のシャッタ閉蓋部材１３５の嵌合部１３５ｃが嵌入係合するためのものである。
【００２８】
光磁気ディスク及び光ディスクの中心部には、円形のチャッキング孔２０４が開設されている。このチャッキング孔２０４は、上面側より、チャッキングプレート２０２により閉蓋されている。このチャッキングプレート２０２は、鉄やステンレスの如き、磁性を有する金属材料により、チャッキング孔２０４に略々対応した直径の円盤状に形成されている。これらチャッキング孔２０４及びチャッキングプレート２０２は、チャッキング用開口部２１３を介して、各カートリッジ２０５，２１６の外方に臨んでいる。
【００２９】
そして、各カートリッジ２０５，２１６の下側主面部には、対をなす前方側及び後方側位置決め穴２０９，２１０が形成されている。前方側位置決め穴２０９は、光学ピックアップ用開口部２２２の前方側の主面部の縁部近傍に位置しており、直径方向が前後方向となされた長円形に形成されている。また、後方側位置決め穴２１０は、光学ピックアップ用開口部２２２の後方側の主面部の縁部近傍に位置しており、円形に形成されている。
【００３０】
また、カートリッジ２０５，２１６の下側主面部後方側の他側側の縁部近傍には、複数の識別用穴２２４が形成されている。これら識別用穴２２４は、これらカートリッジ２０５，２１６が収納されているディスクの種別や状態、例えば情報信号の記録が可能か否かを識別するためのものである。記録再生用ディスクカートリッジ２２０のカートリッジ２０５内には、図４に示すように、識別用穴２２４に対応して、後側面部にセーブノッチ２１４が設けられている。このセーブノッチ２１４は、移動操作されることにより、識別用穴２２４のうちの一の内部に進退し、この識別用穴２２４の深さを変えて、情報信号の記録可否の識別状態を切り換える。さらに、これら各カートリッジ２０５，２１６の下側主面部前方側の他側側の縁部には、被係合凹部２１２が形成されている。
【００３１】
記録及び再生用ディスクカートリッジ２２０のカートリッジ２０５においては、下側主面部の前方側縁部に、光磁気ディスク識別凹部２１１が形成されている。また、再生専用ディスクカートリッジ２２１のカートリッジ２１６においては、下側主面部の前方側縁部に、光ディスク識別凹部２１８が形成されている。これら光磁気ディスク識別凹部２１１と光ディスク識別凹部２１８とは、互いに下側主面部よりの深さが異なっており、この深さの違いにより、収納されているディスクが光磁気ディスクか光ディスクかを識別できるようになされている。
【００３２】
［３］カートリッジホルダの構成
メカシャーシ２の上面部には、カートリッジホルダ３が配設されている。このカートリッジホルダ３は、図８及び図９に示すように、ディスクカートリッジ２２０，２２１が前方側より挿入され、挿入されたディスクカートリッジ２２０，２２１を保持し得るように、天板部３ａと、これら各側壁部の両側側縁部より下方側に垂下された左右側壁部１４９，１５０と、これら各側壁部の下端部より内方側に屈曲された支持片部１５１，１５２とを有して構成されている。このカートリッジホルダ３は、後述する金属材料又は合成樹脂等が屈曲形成されて、一体成形されている。このカートリッジホルダ３において、各ディスクカートリッジ２２０，２２１は、前方側より、天板部３ａの下方側の各壁部１４９，１５０間に挿入され、各支持片部１５１，１５２により下方側の主面部の両側側部分を支持して、保持される。このとき、ディスクカートリッジ２２０，２２１は、下方側の主面部の略々全面を下方側に臨ませており、チャッキング用開口部２１３、光学ピックアップ用開口部２２２、各位置決め穴２０９，２１０及び識別穴２２４をカートリッジホルダ３の下方側に臨ませている。
【００３３】
このカートリッジホルダ３の一方側の側壁部１５０の略々中央部には、このカートリッジホルダ３の内方側に向けて、シャッタ解放片１３６が突設されている。このシャッタ解放片１３６は、このカートリッジホルダ３にディスクカートリッジ２２０，２２１が挿入されたとき、シャッタ部材２０６，２１７の連結部または支持部の前端部に当接し、このディスクカートリッジ２２０，２２１が該カートリッジホルダ３内に収納されたとき、該シャッタ部材２０６、２１７を開蓋状態となす。
【００３４】
そして特に、カートリッジホルダ３の一方側の側壁部１５０の前方側部分には、シャッタ閉蓋部材１３５が配設されている。
【００３５】
このシャッタ閉蓋部材１３５は、図９に示すように、カートリッジホルダ３の一方側の側壁部１５０の前方側部分に一体成形されてなる。すなわち、このシャッタ閉蓋部材１３５は、その基端側１３５ａのみがカートリッジホルダ３の一方側の側壁部１５０の前方側部分を切り欠いて形成される側壁開口部１５０ａの端部に連結され、他方、このシャッタ閉蓋部材１３５の先端側１３５ｂは、自由端とされ内方に弾力性をもって形成されている。
【００３６】
そして、シャッタ閉蓋部材１３５の先端側１３５ｂには、各ディスクカートリッジ２２０，２２１のシャッタ閉蓋孔２０８に対応する嵌合部１３５ｃが形成されている。この嵌合部１３５ｃは、断面が略々Ｖ字状となるように形成されている。すなわち、この略々Ｖ字状の嵌合部１３５ｃは、矩形状のシャッタ閉蓋孔２０８に対して、幅方向では狭く、長さ方向では長くなるように形成されている。したがって、図１３（ｂ）に示すように、シャッタ閉蓋部材１３５の略々Ｖ字状の嵌合部１３５ｃは、矩形状のシャッタ閉蓋孔２０８の長さ方向の端部において略々Ｖ字状の両側が係合することとなる。
【００３７】
また、嵌合部１３５ｃが形成されるシャッタ閉蓋部材１３５の先端部１３５ｂは、図８に示すように、ディスクカートリッジ３が挿入されない状態では、側壁開口部１５０ａを介してカートリッジホルダ３の内方に膨出するように弾力性をもって保持されている。
【００３８】
さらに、略々Ｖ字状の嵌合部１３５ｃの位置は、カートリッジホルダ３の一方側の側壁部１５０の幅の中央に位置するように一体成形されている。すなわち、カートリッジホルダ３の一方側の側壁部１５０の中央に切り欠いて形成される側壁開口部１５０ａの中央に位置するように形成されている。したがって、カートリッジホルダ３のシャッタ閉蓋部材１３の嵌合部１３５ｃは、側壁開口部１５０ａを介して、ディスクカートリッジ２０５，２１６のシャッタ閉蓋孔２０８に対して正確に嵌入係合する。
【００３９】
そして特に、シャッタ閉蓋部材１３５は、カートリッジホルダ３と同一の金型で形成されてなる。すなわち、このシャッタ閉蓋部材１３５は、別部材とされていた従来と異なり、カートリッジホルダ３の金型により、シャッタ閉蓋部材１３５も形成される。このシャッタ閉蓋部材１３５を有するカートリッジホルダ３の材質としては、銅系或いは銀系の合金やステンレス等に限らず、合成樹脂で形成しても良い。
【００４０】
さらに、シャッタ閉蓋部材１３５には弾性をもってカートリッジホルダ３に一体に形成されることが好ましい。本実施例においては、シャッタ閉蓋部材１３５が一体に形成されるカートリッジホルダ３は、圧延鋼材等の弾性力を有する部材が使用されている。
【００４１】
また、シャッタ閉蓋部材１３５は、嵌合部１３５ｃがカートリッジホルダ３の一方側の側壁部１５０の中央に位置するようになされているものであれば、その基端側１３５ａが一方側の側壁部１５０の片方側に形成されるものであっても良い。すなわち、シャッタ閉蓋部材１３５の形状は、本実施例のものに限定されるものではない。
【００４２】
ところで、従来の記録及び／又は再生装置のカートリッジホルダ３は、このシャッタ閉蓋部材１３５の部分がカートリッジホルダ３とは別個独立して製造し、これをカートリッジホルダ３に組み付けていたために、部品点数が増え組立工数がかかったり、組立の際に位置精度が出し難いという問題点を有していた。
【００４３】
しかし、本実施例においては、シャッタ閉蓋部材１３５は、カートリッジホルダ３の一方側の側壁部１５０の前方側部分を切り欠いてカートリッジホルダ３に一体成形されている。
【００４４】
したがって、従来のようにカートリッジホルダの専用の部品点数の減少によって低コストで製造できる。また、シャッタ閉蓋部材がカートリッジホルダにあらかじめ設定した位置に一体成形させておくために、従来のように別個の細かな部品を正確に位置精度を出して組み立てる必要もない。
【００４５】
［４］カートリッジホルダのシャッタ閉蓋部材の作動状態
図９に示すように、カートリッジホルダ３に対してディスクカートリッジ２２０，２２１を挿入させると、カートリッジホルダ３に一体成形されたシャッタ閉蓋部材１３５は以下のように作動する。
【００４６】
すなわち、構成のシャッタ閉蓋部材１３５は、側壁開口部１５０ａを介してカートリッジホルダ３の内方に膨出するように弾力性をもって保持されているために、ディスクカートリッジ２２０，２２１の挿入によって、図１０に示すように、嵌合部１３５ｃが外方に持ち上げられ、この持ち上げられた状態のまま支持溝２０７に沿ってシャッタ部材２０６，２１７の方向に移動する。このシャッタ閉蓋部材１３５の嵌合部１３５ｃが外方に持ち上げられた状態を図１３（ａ）に示す。
【００４７】
そして、さらにディスクカートリッジ２２０，２２１を挿入させて行くと、シャッタ閉蓋部材１３５の嵌合部１３５ｃが、図１１に示すように、シャッタ部材２０６，２１７のシャッタ閉蓋孔２０８に嵌入係合する。すなわち、嵌合部１３５ｃがカートリッジホルダ３の側壁開口部１５０ａを介してカートリッジホルダ３の内方に臨むように弾力性をもって形成されているために、この嵌合部１３５ｃは、シャッタ部材２０６，２１７のシャッタ閉蓋孔２０８の位置に来ると、略々Ｖ字状の先端部がシャッタ閉蓋孔２０８に埋没して、このシャッタ閉蓋孔２０８に嵌入係合する。このシャッタ閉蓋部材１３５の嵌合部１３５ｃが嵌入係合して、略々Ｖ字状の両側が係合した状態を図１３（ｂ）に示す。
【００４８】
このとき、シャッタ解放片１３６が、ディスクカートリッジ２２０，２２１の支持溝２０７を介してシャッタ部材２０６，２１７の連結部または支持部の前端部に当接する。したがて、さらにディスクカートリッジ２２０，２２１を挿入すると、シャッタ閉蓋部材１３５の嵌合部１３５ｃがシャッタ閉蓋孔２０８に嵌合した状態で、図１２に示すように、図示しないバネ部材に抗してシャッタ部材２０６，２１７を解放することとなる。
【００４９】
他方、このディスクカートリッジ２２０，２２１が該カートリッジホルダ３より抜き出されるときは、シャッタ閉蓋部材１３５は、次のように作動する。
【００５０】
まず、ディスクカートリッジ２２０，２２１を取り出すためのイジェクト操作を行うと、略々Ｖ字状の嵌合部１３５ｃがシャッタ部材２０６，２１７のシャッタ閉蓋孔２０８に嵌入係合された状態であるので、図示しないバネ部材の弾性力が働き、該シャッタ部材２０６，２１７が閉蓋状態となされる。すなわち、図１３（ａ）に示す嵌入係合状態でシャッタ部材２０６，２１７を閉蓋状態に移動させる。
【００５１】
そして、図１１に示す位置まで戻ると、図１３（ａ）に示すように、嵌合部１３５ｃがシャッタ閉蓋孔２０８から外れて、図６に示す状態となる。そして、初期の状態となる（図９参照）。
【００５２】
このように、本実施の形態のディスク装置は、カートリッジホルダ３にシャッタ閉蓋部材１３５が一体成形されているために、シャッタ部材２０６，２１７の閉蓋をスムーズに行うことができる。
【図面の簡単な説明】
【００５３】
【図１】本発明を適用したディスク装置の外観を示す斜視図である。
【図２】本発明を適用したディスク装置を示す分解斜視図である。
【図３】ディスク装置のイジェクト状態における内部の構成を示す左側面図である。
【図４】ディスク装置に使用される記録及び再生用ディスクカートリッジを上面側より臨んだ斜視図である。
【図５】ディスク装置に使用される再生専用ディスクカートリッジを上面側より臨んだ斜視図である。
【図６】ディスク装置に使用される記録及び再生用ディスクカートリッジを下面側より臨んだ斜視図である。
【図７】ディスク装置に使用される再生専用ディスクカートリッジを下面側より臨んだ斜視図である。
【図８】ディスク装置を構成するカートリッジホルダを示す平面図である。
【図９】カートリッジホルダにディスクカートリッジが挿入される状態を示す斜視図である。
【図１０】カートリッジホルダのシャッタ閉蓋部材がディスクカートリッジのシャッタ閉蓋孔に嵌入係合する直前の状態を示す側面図である。
【図１１】カートリッジホルダのシャッタ閉蓋部材がディスクカートリッジのシャッタ閉蓋孔に嵌入係合した状態を示す側面図である。
【図１２】カートリッジホルダのシャッタ閉蓋部材がディスクカートリッジのシャッタ閉蓋孔に嵌入係合して、ディスクカートリッジのシャッタ部材を解放する状態を示す側面図である。
【図１３】カートリッジホルダのシャッタ閉蓋部材がディスクカートリッジのシャッタ閉蓋孔に嵌入係合する状態を示す拡大断面図であり、（ａ）は嵌入係合する直前の状態を示し、（ｂ）は嵌入係合した状態を示す。
【符号の説明】
【００５４】
３  カートリッジホルダ、  １３５  シャッタ閉蓋部材、  １３５ａ  シャッタ閉蓋部材の基端側、  １３５ｂ  シャッタ閉蓋部材の先端側、  １３５ｃ  シャッタ閉蓋部材の嵌合部、  １３６  シャッタ解放片、  １５０  カートリッジホルダの一方側の側壁部、  １５０ａ  カートリッジホルダの一方側の側壁部の側壁開口部、  ２２０，２２１  ディスクカートリッジ、  ２０６，２１７  シャッタ部材、  ２０８  シャッタ閉蓋孔、  ２２２  光学ピックアップ用開口部
【図１】
2006120316.tif 000003
【図２】
2006120316.tif 000004
【図３】
2006120316.tif 000005
【図４】
2006120316.tif 000006
【図５】
2006120316.tif 000007
【図６】
2006120316.tif 000008
【図７】
2006120316.tif 000009
【図８】
2006120316.tif 000010
【図９】
2006120316.tif 000011
【図１０】
2006120316.tif 000012
【図１１】
2006120316.tif 000013
【図１２】
2006120316.tif 000014
【図１３】
2006120316.tif 000015